(57)【要約】【課題】折版屋根並びに瓦棒葺屋根のように屋根面に大きな凹凸が存在する薄金属板葺きの屋根において、屋根上積雪の融雪を効率的に行う。【解決手段】屋根面の横断形状に一致する横板部１の下面に、適宜間隔で横列形成したヒータ用縦筒部１４を設けると共に、横板部の両端に装着対象の屋根の突出箇所を跨いで挟持する挟持装着部２を設けた装着金具Ａと、ヒータ用縦筒部に連結する金属製のカバー筒体Ｂと、ヒータ用縦筒部及びカバー筒体内に挿通される線状ヒータＤで構成し、複数の装着金具Ａを、ヒータ用縦筒部が屋根面ｂ，ｃに当接する状態として挟持装着部２で屋根の所定箇所に取り付け、屋根面上に縦断載置したカバー筒体をヒータ用縦筒部に連結し、線状ヒータをカバー筒体及びヒータ用縦筒部で保護した状態で屋根面に設置してなる。【選択図】  図１
2015086530.tif 000002
【特許請求の範囲】
【請求項１】
屋根面の横断形状に一致する横板部の下面に、適宜間隔で横列形成したヒータ用縦筒部を設けると共に、横板部の両端に装着対象の屋根の突出箇所を跨いで挟持する挟持装着部を設けたことを特徴とする屋根融雪ヒータ装着金具。
【請求項２】
横板部を、屋根面の横断形状に一致するように長さ調整可能に形成し、横板部の両端を折曲して形成した立上部に、挟持装着部を間隔調整及び上下調整可能とした調整連結部で連結固定してなる請求項１記載の屋根融雪ヒータ装着金具。
【請求項３】
横板部の中間を左右長手方向で分割すると共に、前記分割箇所の一方の分割端部を段差形成して重ね合わせると共に、分割端の一方に横長孔を形成し、重なった両分割端を横長孔を貫通するボルトで連結固定して、横板部の横幅長さの調整を行ってなる請求項２記載の屋根融雪ヒータ装着金具。
【請求項４】
調整連結部を、立上部に設けた縦長孔に貫通して任意位置で固定装着すると共に、屋根固定体の適宜箇所に設けたボルト孔に任意位置で装着する長ボルト棒で構成してなる請求項２又は３記載の屋根融雪ヒータ装着金具。
【請求項５】
横板部が、折版屋根形状に対応した底面部と傾斜面部を備えてなる請求項１乃至４記載の何れかの屋根融雪ヒータ装着金具。
【請求項６】
瓦棒葺屋根及び折版屋根等のように屋根横断面が凹凸形状である既存の金属葺屋根に装着するものであって、屋根面の横断形状に一致する横板部の下面に、適宜間隔で横列形成したヒータ用縦筒部を設けると共に、横板部の両端に装着対象の屋根の突出箇所を跨いで挟持する挟持装着部を設けた装着金具と、ヒータ用縦筒部に連結する金属製のカバー筒体と、ヒータ用縦筒部及びカバー筒体内に挿通される線状ヒータで構成され、複数の装着金具を、ヒータ用縦筒部が屋根面に当接する状態として挟持装着部で屋根の所定箇所に、適宜な千鳥配置で取り付け、屋根面上に縦断載置したカバー筒体を前記ヒータ用縦筒部に連結し、線状ヒータをカバー筒体及びヒータ用縦筒部で保護した状態で屋根面に設置してなることを特徴とする屋根融雪装置。
【発明の詳細な説明】
【技術分野】
【０００１】
本発明は、瓦棒葺屋根、折版屋根等の既存の金属板葺屋根に、線状ヒータを使用して融雪を実現する屋根融雪装置及び前記装置に使用する屋根融雪ヒータ装着金具に関するものである。
【背景技術】
【０００２】
既設の屋根の融雪を実現する手法として、既存屋根上に電熱線を内蔵した線状ヒータを配置する手段が知られており、特に線状ヒータとして既存部品（融雪用電熱線）をそのまま採用できる利点がある。
【０００３】
この線状ヒータを屋根に設置するには、適宜なカバー体に線状ヒータを収納して形成した棒状発熱体を屋根に固定してなるものである。
【０００４】
例えば特許文献１には、融雪用電熱線を棒状トレイ（カバー体）で被覆して棒状発熱体を形成し、前記棒状発熱体を瓦棒屋根における瓦棒上を横断するように配置し、瓦棒に固定する固定金具を介して前記棒状発熱体を屋根に装着する構成が開示されている。
【０００５】
また特許文献２には、線状ヒータを内蔵した金属パイプで形成した棒状発熱体を、折版屋根における山部上を横断するように配置し、折版屋根に装着した取付金具で、前記棒状発熱体を屋根に装着している構造が開示されている。
【０００６】
更に特許文献３には、線状ヒータが伝熱カバー及びフレキシブルを内蔵し形成された棒状発熱体を、横葺屋根に装着する固定クランプに連結したホルダで保持して、横葺屋根上に迂回配置して装着する構造が開示されている。
【先行技術文献】
【特許文献】
【０００７】
【特許文献１】実開平２−３９０６３号公報。
【特許文献２】実開平６−１２６２３号公報図４。
【特許文献３】登録実用新案３０８６３２７号公報。
【発明の概要】
【発明が解決しようとする課題】
【０００８】
特許文献３に示されている横葺屋根のように、屋根面に大きな凹凸が存在しない場合には、容易に棒状発熱体を金属屋根面に直接に敷いて設ける構造を採用することができ、金属屋根面全体に熱が伝わり、効率的に融雪を実現することができる。しかし瓦棒葺屋根や折版屋根のように屋根面に大きな凹凸が存在する場合には、特許文献１，２に示すように屋根の突出部分の上に棒状発熱体を配置することになり、棒状発熱体と金属屋根面の接触面が少なく、必ずしも効率的に屋根融雪が行われない。
【０００９】
そこで本発明は、瓦棒葺屋根や折版屋根のように屋根面に大きな凹凸箇所が存在する屋根に、線状ヒータ（屋根融雪ヒータ）で効率的に融雪がなされるようにした屋根融雪ヒータ装着金具及び屋根融雪装置を提案したものである。
【課題を解決するための手段】
【００１０】
本発明の請求項１記載に係る屋根融雪ヒータ装着金具は、屋根面の横断形状に一致する横板部の下面に、適宜間隔で横列形成したヒータ用縦筒部を設けると共に、横板部の両端に装着対象の屋根の突出箇所を跨いで挟持する挟持装着部を設けたことを特徴とするものである。
【００１１】
また本発明の請求項６記載に係る屋根融雪装置は、前記の屋根融雪ヒータ装着金具と、ヒータ用縦筒部に連結する金属製のカバー筒体と、ヒータ用縦筒部及びカバー筒体内に挿通される線状ヒータで構成され、複数の装着金具を、ヒータ用縦筒部が屋根面に当接する状態として挟持装着部で屋根の所定箇所に、適宜な千鳥配置で取り付け、屋根面上に縦断載置したカバー筒体を前記ヒータ用縦筒部に連結し、線状ヒータをカバー筒体及びヒータ用縦筒部で保護した状態で屋根面に設置してなることを特徴とするものである。
【００１２】
而して前記装置は、屋根葺き構造が瓦棒葺屋根や折版屋根であっても、金属製カバー筒体は、屋根の峰から裾へと屋根を縦断するように設置され、ヒータ用縦筒部及びカバー筒体は前記屋根面に当接して装着されることになるので、線状ヒータに通電すると、熱は前記金属製カバー筒体及びヒータ用縦筒部を介して金属屋根板にも伝えられ、屋根上積雪を効率的に融かすものである。
【００１３】
また本発明の請求項２記載に係る屋根融雪ヒータ装着金具は、横板部を、屋根面の横断形状に一致するように長さ調整可能に形成し、横板部の両端を折曲して形成した立上部に、挟持装着部を間隔調整及び上下調整可能とした調整連結部で連結固定してなるもので、装着対象の屋根の金具装着位置が必ずしも規格通りでない場合に対応できるようにしたものである。
【００１４】
即ち金具装着対象の瓦棒葺屋根の瓦棒間隔及び瓦棒の高さ、折版屋根の山形部の横間隔及び山形頂部の巻ハゼ部の高さに対応して、横板部の長さ調整を行い、調整連結部で挟持装着部の固定位置の間隔調整及び上下調整を行うことで、挟持装着部を所望の位置とし、金具を確実に屋根に装着することができるものである。
【００１５】
また本発明の請求項３記載に係る屋根融雪ヒータ装着金具は、横板部の中間を左右長手方向で分割すると共に、前記分割箇所の一方の分割端部を段差形成して重ね合わせると共に、分割端の一方に横長孔を形成し、重なった両分割端を横長孔を貫通するボルトで連結固定して、横板部の横幅長さ調整を行ってなるもので、前記両分割端の重なり長さで横板部の長さ調整が容易に為しえるものである。
【００１６】
また本発明の請求項４記載に係る屋根融雪ヒータ装着金具は、調整連結部を、立上部に設けた縦長孔に貫通して任意位置で固定装着すると共に、屋根固定体の適宜箇所に設けたボルト孔に任意位置で装着する長ボルト棒で構成してなるもので、長ボルト棒の縦長孔内止着位置で上下位置調整がなされ、長ボルト棒の軸方向の止着位置で挟持装着部の横方向位置の調整がなされるものである。
【００１７】
また本発明の請求項５記載に係る屋根融雪ヒータ装着金具は、横板部が、折版屋根形状に対応した底面部と傾斜面部を備えてなるもので、ヒータ用縦筒部を折版屋根の底面及び傾斜面に当接させて金具を装着できるものである。
【発明の効果】
【００１８】
本発明は上記のとおりの構成で、瓦棒葺屋根や折版屋根のように屋根面に大きな凹凸箇所が存在する既設の屋根であっても、線状ヒータを挿通したヒータ用縦筒部及びカバー筒体を、直かに接触させて金属薄板葺きの屋根板自体をも暖ため、屋根上の積雪を効率的に融かすことができたものである。
【図面の簡単な説明】
【００１９】
【図１】本発明の第一実施形態の装着金具の全体斜視図。
【図２】同屋根融雪装置の説明図（第一実施形態の装着金具使用例）。
【図３】同要部断面図。
【図４】本発明の第二実施形態の装着金具の全体斜視図。
【図５】同屋根融雪装置の説明図（第二実施形態の装着金具使用例）。
【図６】同要部断面図。
【発明を実施するための形態】
【００２０】
次に本発明の実施形態について説明する。図１乃至３は、折版屋根ａを装着対象とした本発明の第一実施形態の装着金具、及び前記装着金具を使用した融雪装置を示すものである。
【００２１】
融雪装置は、装着金具Ａと、金属製のカバー筒体Ｂと、連結筒部Ｃと、線状ヒータＤで構成される。
【００２２】
装着金具Ａは、横板部１と、挟持装着部２と調整連結部３を備えてなる。横板部１は、装着対象の折版屋根ａの底板ｂと対応する底面部１１と、傾斜面ｃに対応して前記底板部１１から折曲させた傾斜面部１２と、傾斜面部１２の端部に起立形成した立上部１３を備えてなる。
【００２３】
また横板部１は、その中間部分を分割すると共に、前記分割箇所の一方の分割端部を段差形成して重ね合わせ部１１１を形成し、前記重ね合わせ部１１１に横長孔１１２を形成したものである。そして横長孔１１２を貫通する固定ボルト１１３で分割端部を連結固定して、横板部１の横幅長さ調整を行ってなるもので、これによって装着対象の折版屋根ａの頂面部ｄの巻ハゼ部ｅの間隔の相違に対応するものである。
【００２４】
更に底面部１１及び傾斜面部１２の下面には、横板部１と同一平面上で直交する縦方向に、適宜な間隔でヒータ用縦筒部１４を溶接等の手段で堅牢に一体化して設け、立上部１３には、後述する調整連結部２を連結するための縦長孔１３１を設けたものである。
【００２５】
挟持装着部２は、折版屋根ａの頂面部ｄの巻ハゼ部ｅを挟持して固定できる構造であれば良いもので、実施形態に示した挟持装着部２は、巻ハゼ部ｅを跨ぐ下方開口コの字状に形成し、両側面に挟圧ボルト２１を螺装し、前記螺装挟圧ボルト２１には緩み止めナット２２を螺合し、また一方の側面の下端を折曲して、巻ハゼ部ｅに差し入れる下板部２３を設けたものである。尚図示した例では、挟圧ボルト２１の一方を調整連結部３の長ボルト棒３１で兼ねている。
【００２６】
調整連結部３は、長ボルト棒３１と位置決めナット３２ａ，３２ｂで構成されており、長ボルト棒３１を立上部１３の縦長孔１３１に貫通し、位置決めナット３２ａ，３２ｂを緊締して任意位置に固定装着するものである。
【００２７】
金属製のカバー筒体Ｂは、装着金具Ａのヒータ用縦筒部１４の同一断面の角筒体で、カバー用筒体Ｂの端部をヒータ用縦筒部１４に付きあわせると共に、付きあわせ箇所を被る連結筒部Ｃで両者を連結固定するものである。尚前記のカバー筒体Ｂは、屋根の融雪装置の設置範囲に対応して定められ、必要に応じてフレキシブルチューブ等を介して折り返し連結されるものである。
【００２８】
線状ヒータＤは、既設部品である絶縁被覆電熱線で、カバー筒体Ｂ及びヒータ用縦筒部１４内に挿通し、適宜な温度制御がなされる電力供給部（図示せず）と接続するものである。
【００２９】
従って装着金具Ａのヒータ用縦筒部が折版屋根ａの底板ｂ及び傾斜面ｃに載置されるように横板部１の長さを調整し、挟持装着部２を巻ハゼ部ｅに跨がせ、当該挟持装着部２の位置で、挟圧ボルト２１及び挟圧ボルトを兼ねる長ボルト棒３１を緊締して固定すると共に、長ボルト棒３１を縦長孔１３１の当該位置で位置決めナット３２ａ，３２ｂを緊締して装着金具Ａを折版屋根ａと一体化する。
【００３０】
更に前記装着金具Ａのヒータ用縦筒部１４に連結筒部Ｃを用いてカバー筒体Ｂを連結すると共に、ヒータ用縦筒部１４及びカバー筒体Ｂの内部に線状ヒータＤを挿通して、融雪屋根装置を構築するものである。
【００３１】
従って線状ヒータＤは、折版屋根ａの表面に接触して設置されたヒータ用縦筒部１４及び金属製カバー筒体Ｂ内で発熱するものであり、線状ヒータＤの熱は金属屋根板にも伝えられて、屋根上積雪を効率的に融かすことになる。
【００３２】
また図４乃至６は、瓦棒葺屋根ｆを装着対象とした本発明の第二実施形態の装着金具、及び前記装着金具を使用した融雪装置を示すものである。
【００３３】
第二実施形態の融雪装置は、第一実施形態とは、装着金具Ｅが相違するのみで、金属製のカバー筒体Ｂと、連結筒部Ｃと、線状ヒータＤを採用することは第一実施形態と同様である。また装着金具Ｅも基本構成は装着金具Ａと同一であり、相違する構造は横板部１ａと挟持装着部２ａが相違するのみである。特に装着金具Ｅにおいて装着金具Ａと同一構成については、図示番号を同一とする。
【００３４】
横板部１ａは、瓦棒葺屋根ｆの屋根面ｇと対応する形状で、中間部分に横幅長の調整構造を備え、両端に立上部１３を備えてなる。
【００３５】
挟持装着部２ａは、瓦棒ｈの全体を跨ぐように下方開口コの字状に形成し、両側面下端に係止爪２４を設けたものである。また側面には瓦棒ｈを超えて隣接する装着金具Ｅの立上部１３と連結する連繋螺孔２５を設けておく。
【００３６】
従って装着金具Ａと同様に、瓦棒葺屋根ｆの屋根面ｇにヒータ用縦筒部１４が載置されるように横板部１ａの長さを調整し、挟持装着部２ａを瓦棒ｈに跨がせ、挟圧ボルト２１及び挟圧ボルトを兼ねる長ボルト棒３１を緊締して固定し、更に長ボルト棒３１を所定位置で固定して装着金具Ｅを瓦棒葺屋根ｆと一体化する。
【００３７】
更に装着金具Ｅのヒータ用縦筒部１４に連結筒部Ｃを用いてカバー筒体Ｂを連結すると共に、ヒータ用縦筒部１４及びカバー筒体Ｂの内部に線状ヒータＤを挿通して、瓦棒葺屋根ｆの融雪を行うもので、線状ヒータＤの熱は金属屋根板にも伝えられて、効率的な融雪を実現するものである。
【００３８】
尚図示した例は、装着金具Ａ，Ｅを千鳥配置してなるものであるが、例えば連繋螺孔２５を使用して挟持装着部２，２ａを兼用させて、屋根を横断するように装着金具Ａ，Ｅを設置しても良い。
【符号の説明】
【００３９】
Ａ，Ｅ      装着金具
Ｂ      カバー筒体
Ｃ      連結筒部
Ｄ      線状ヒータ
１，１ａ      横板部
１１    底面部
１１１    重ね合わせ部
１１２    横長孔
１１３    固定ボルト
１２    傾斜面部
１３    立上部
１３１    縦長孔
１４    ヒータ用縦筒部
２，２ａ      挟持装着部
２１    挟圧ボルト
２２    緩み止めナット
２３    下板部
２４    係止爪
２５    連繋螺孔
３      調整連結部
３１    長ボルト棒
３２ａ，３２ｂ    位置決めナット
【図１】
2015086530.tif 000003
【図２】
2015086530.tif 000004
【図３】
2015086530.tif 000005
【図４】
2015086530.tif 000006
【図５】
2015086530.tif 000007
【図６】
2015086530.tif 000008